(57)【要約】【課題】キャップを容器に装着する際に簡単に装着でき、内容物が飛び出すような強い力をかけなくても容器からキャップ゜を外すことができるキャップ゜付き容器を提供すること。【解決手段】前記容器本体５とキャップ７を有するキャップ付き容器１であって、キャップ７は、天面７１と、天面７１の周縁に肩部３方向に向かって周設された側壁７２とを有する外筒７３と、天面７１の内面から口部２方向に向かって筒状に設けられた内筒６とを有して構成され、口部２には、内筒６と接触しながら内筒６を下方に案内するガイド突起２２が径方向の外側に突出して周設され、肩部３には、周方向に連続する山部３１１と谷部３１２とを有して構成される波形段部３１が形成され、外筒の側壁７２の下端部には、周方向に連続する山部７４１と谷部７４２とを有して構成された波形段部３１と嵌合可能な波形突片７４が形成される構成とする。【選択図】図１
2019194093.tif 000002
【特許請求の範囲】
【請求項１】
胴部（４）の上に肩部（３）を介して立設された口部（２）を備えた有底筒状の容器本体（５）と、
前記口部（２）と肩部（３）を覆うように前記容器本体（５）に装着されるキャップ（７）と、を有するキャップ付き容器（１）であって、
前記キャップ（７）は、天面（７１）と、前記天面（７１）の周縁に肩部（３）方向に向かって周設された側壁（７２）とを有する外筒（７３）と、前記天面（７１）の内面から前記口部（２）方向に向かって筒状に設けられた内筒（６）とを有して構成され、
前記口部（２）には、前記内筒（６）と接触しながら内筒（６）を下方に案内するガイド突起（２２）が径方向の外側に突出して周設され、
前記肩部（３）には、周方向に連続する山部（３１１）と谷部（３１２）とを有して構成される波形段部（３１）が形成され、
前記外筒の側壁（７２）の下端部には、周方向に連続する山部（７４１）と谷部（７４２）とを有して構成された前記波形段部（３１）と嵌合可能な波形突片（７４）が形成されていることを特徴とするキャップ付き容器。
【請求項２】
前記内筒（６）の内周面には径方向の内側に突出して前記ガイド突起（２２）と係合する係合部（６２）が設けられており、前記係合部（６２）の下方には前記ガイド突起（２２）と接触する誘導片（６１）が連接されていることを特徴とする、請求項１に記載されたキャップ付き容器。
【請求項３】
前記誘導片（６１）が前記ガイド突起（２２）に接触しながら、前記内筒（６）が下方に案内され、前記係合部（６２）と前記ガイド突起（２２）が係合するとともに、前記波形突片（３４）と波形段部（３１）が嵌合することを特徴とする、請求項１または請求項２に記載されたキャップ付き容器。
【請求項４】
前記波形突片（７４）の谷部（７４２）の下端と前記誘導片（６１）の下端との高さ方向の位置における距離（ｈ´）と前記ガイド突起（２２）の上端と前記波形段部（３１）の上端を構成する山部（３１１）との高さ方向の位置における距離（ｈ）との関係が、ｈ＞ｈ´の関係を満たしていることを特徴とする、請求項１〜３のいずれか１項に記載されたキャップ付き容器。
【請求項５】
誘導片（６１）は、外筒（７３）側に凸状に湾曲しながら先端が口部（２）側を向くように形成されていることを特徴とする、請求項１〜４のいずれか１項に記載されたキャップ付き容器。
【請求項６】
誘導片（６１）は下方に向かう逆三角形形状が内筒（６）の下端に所定の間隔を有して周設されたものであり、前記ガイド突起（２２）は前記誘導片（６１）の逆三角形形状の斜辺部（６１１）と接触して前記誘導片（６１）を案内する傾斜部（２２１）を有することを特徴とする、請求項１〜５のいずれか１項に記載されたキャップ付き容器。
【請求項７】
口部（２）には、径方向の外側に突出したネックリング（２１）が設けられ、前記ネックリング（２１）には径方向の外側に突出する前記ガイド突起（２２）が形成されていることを特徴とする、請求項１〜６のいずれか１項に記載されたキャップ付き容器。
【請求項８】
ガイド突起（２２）は、ネックリング（２１）の側部上に周方向に所定の間隔を有して複数形成されていることを特徴とする、請求項１〜７のいずれか１項に記載されたキャップ付き容器。
【請求項９】
誘導片（６１）は可撓性を有していることを特徴とする、請求項１〜８のいずれか１項に記載されたキャップ付き容器。
【発明の詳細な説明】
【技術分野】
【０００１】
本発明は、キャップ付き容器に関する。
【背景技術】
【０００２】
従来のキャップ付き容器は、特許文献１に記載されているように、口部１１と肩部１２を備えた容器１０と、天板部２１と側壁部２２を備え口部１１に被せられるキャップと２０とを備えたもので、容器１０の肩部１２には、山部１４Ａと谷部１４Ｂを有する波形の段部１４が設けられ、キャップ２０の側壁部下端２２Ａには、波形の段部１４に嵌め合い可能な波形突片２３が設けられており、容器１０の肩部１２における山部１４Ａの上方表面に、弧状隆起部１５を設ける構造としている。
【０００３】
当該構造では、キャップ２０の波形突片２３と容器１０における段部１４の山部１４Ａが突き合った状態になると、波形突片２３の内面のキャップ側係合部２４は容器１０における弧状隆起部１５の表面に当たることになり、弧状隆起部１５の表面の曲面が案内作用をなして波形突片２３を隣接する弧状隆起部１５の間に導くこととなる。
そして、このような弧状隆起部１５の案内作用によって、容器１０の口部１１にキャップ２０を被せる際に、キャップ２０の波形突片２３と容器１０における段部１４の山部１４Ａが突き合った状態で止まるのを抑止することができる。
【０００４】
また、容器１０が容器側係合部１６を備え、キャップ２０がキャップ側係合部２４を備える場合には、弧状隆起部１５を設けることで、容器１０の縦軸周りにキャップ２０を回動して容器側係合部１６とキャップ側係合部２４の係合を外す際のクリック感が得やすくなるように構成されている（特許文献１の段落００２３）。
【先行技術文献】
【特許文献】
【０００５】
【特許文献１】特開２０１５−４８１２２号公報
【発明の概要】
【発明が解決しようとする課題】
【０００６】
しかし、特許文献１の発明では、容器側係合部１６とキャップ側係合部２４が係合しているため、まず、この係合を解除する必要があるが、キャップ２０を取り外すためにキャップ２０の側壁を手で握ったとき、キャップ２０の外側から内側に向かって力がかかることになり容器側係合部１６とキャップ側係合部２４の係合を強くすることになる。よって、無意識にさらに強い力でキャップ２０を回動し係合を解除しようとすることになる。
【０００７】
また、肩部１２に設けられた山部１４Ａと谷部１４Ｂの高さ方向の差が大きい（以下、「急傾斜」という）と、より強い力でキャップ２０を回動させなければキャップ２０を取り外すことができない。さらに特許文献１に記載された発明では、弧状隆起部１５の表面に乗り上げる抵抗がかかった後、キャップは容器に対して、抵抗が少なくなった状態で離れることになり、キャップが容器から離れる際の抵抗も急激に少なくなることにより、内容物の飛び出しの問題が生じ、飛び出した内容物が周囲を汚してしまう虞がある。
【０００８】
ここで、特許文献１に記載された発明を例にして説明すると、一般に肩部１２に設けられた山部１４Ａと１４Ｂの高さ方向の差が小さい（以下、「緩やかな傾斜」という）と、キャップ２０を取り外すにはそれほど強い力で回動させる必要はない。緩やかな傾斜であるため、山部１４Ａをキャップ２０を回転させて乗り越えるにはそれほどの力が必要でないからである。よって、「緩やかな傾斜」を有する構造ではキャップ２０が外れた時の反動で、容器１０の内容物が飛び出す虞がない。
【０００９】
一方でキャップ２０を装着するときは、肩部１２に設けられた山部１４Ａと谷部１４Ｂの高さ方向の差が大きい（急傾斜）方が、波形突片２３（２２Ａ）が簡単に装着できる（特許文献１に記載の発明）。これは、山部１４Ａと谷部１４Ｂの傾斜が急傾斜であるため、傾斜部分が案内作用を発揮して波形突片２３（２２Ａ）の下に凸の部分を簡単に谷部１４Ｂに案内するからである。特許文献１においては、加えて、弧状隆起部１５の曲面もこの案内作用を発揮している（段落００１９）。
【００１０】
以上より、内容物が飛び出す虞がないように、強い力でなくても容器からキャップを外すことができるようなキャップ付き容器の構造（「緩やかな傾斜」を有する構造）と、キャップを容器に装着する際には簡単に装着することができるようなキャップ付き容器の構造（「急傾斜」を有する構造）は、構造が相反するものであり両者の構造の効果双方を有するキャップ付き容器の要望があるにもかかわらず、実現されていない。
【００１１】
本発明は、上記した問題点を解消すべく、キャップを容器に装着する際には簡単に装着させることができ、かつ内容物が飛び出す虞がないように、強い力をかけなくても容器からキャップを外すことができるようなキャップ付き容器を提供することにある。
【課題を解決するための手段】
【００１２】
上記課題を解決するために、本発明の第１の態様に係るキャップ付き容器は、胴部の上に肩部を介して立設された口部を備えた有底筒状の容器本体と、前記口部と肩部を覆うように前記容器本体に装着されるキャップと、を有するキャップ付き容器であって、前記キャップは、天面と、前記天面の周縁に肩部方向に向かって周設された側壁とを有する外筒と、前記天面の内面から前記口部方向に向かって筒状に設けられた内筒とを有して構成され、前記口部には、前記内筒と接触しながら内筒を下方に案内するガイド突起が径方向の外側に突出して周設され、前記肩部には、周方向に連続する山部と谷部とを有して構成される波形段部が形成され、前記外筒の側壁の下端部には、周方向に連続する山部と谷部とを有して構成された前記波形段部と嵌合可能な波形突片が形成されていることを特徴とする。
【００１３】
本態様においては、キャップが外筒と内筒の２重構造になっており、口部の径方向の外側に突出して設けられたガイド突起と内筒が接触することにより、ガイド突起の案内作用によって内筒自体が回転しながら、すなわちキャップ自体が回転しながら下方に案内され、外筒の側壁の下端部に設けられた波形突片と肩部に設けられた波形段部が嵌合することにより、キャップが容器本体に装着される。
【００１４】
つまり、内筒とガイド突起が接触しガイド突起の案内作用により、また外筒の側壁の下端部に設けられた波形突片と肩部に設けられた波形段部が嵌合する構成を有していることにより、簡単にキャップを容器本体に装着することができる。
【００１５】
本発明の第２の態様に係るキャップ付き容器は、第１の態様において、前記内筒の内周面には径方向の内側に突出して前記ガイド突起と係合する係合部が設けられており、前記係合部の下方には前記ガイド突起と接触する誘導片が連接されていることを特徴とする。
【００１６】
また、本発明の第３の態様に係るキャップ付き容器は、第１又は第２の態様において、前記誘導片が前記ガイド突起に接触しながら、前記内筒が下方に案内され、前記係合部と前記ガイド突起が係合するとともに、前記波形突片と波形段部が嵌合することを特徴とする。
【００１７】
第２及び第３の態様によれば、内筒には係合部の下方にガイド突起と接触する誘導片が連接されているので、ガイド突起と接触し易くより簡単に容器本体にキャップを装着することができる。
【００１８】
さらに上記態様によれば、キャップが外筒と内筒の２重構造になっているため、キャップを外すときは、外筒部分を握ってキャップを取り外すので、握った際にキャップに加わる力は外筒にしか伝わらないので、口部と係合する内筒には影響は及ぼさない。つまり、外筒部分を握る（把持する）力で、係合部とガイド突起が係合している部分を押し付けることがないので、キャップを容器本体から取り外しにくくなることがない。
【００１９】
そのため、従来のキャップ付き容器と異なり、キャップ（外筒部分）にさらに強い力をかけることなく、容器本体からキャップを取り外すことが可能となる。つまり、キャップ開栓時におけるキャップをせり上げる為の必要な力を軽くでき、容器本体からキャップを取り外す力を軽くすることができる。
従って、キャップを取り外した反動によって容器本体の内容物が飛び出す虞がない。
また、内筒が下方に案内され、係合部とガイド突起が係合するとともに、波形突片と波形段部が嵌合するので、確実に容器本体にキャップが装着される。
【００２０】
本発明の第４の態様に係るキャップ付き容器は、第１から第３のいずれかの態様において、前記波形突片の谷部の下端と前記誘導片の下端との高さ方向の位置における距離ｈ´と前記ガイド突起の上端と前記波形段部の上端を構成する山部との高さ方向の位置における距離ｈとの関係が、ｈ＞ｈ´の関係を満たしていることを特徴とする。
【００２１】
本態様によれば、上述のｈ＞ｈ´の関係を満たしているので、容器本体の肩部に設けられた波形段部を構成する山部と外筒の側壁の下端部に設けられた波形突片の谷部（下に凸の部分）が突き合った状態で止まることがない。
つまり、外筒に設けられた波形突片の谷部（下に凸部分）と肩部に設けられた波形段部の山部とが突き合う前に誘導片とガイド突起とが接触するため、内筒の誘導片がガイド突起に案内されて内筒（キャップ）が回転しながら移動するので、外筒の側壁の下端部に設けられた波形突片の谷部（下に凸の部分）の部分も移動し、容器本体の肩部に設けられた波形段部を構成する山部と突き合う位置からずれるということである。
【００２２】
すなわち、ガイド突起は、外筒の側壁の下端部に設けられた波形突片の谷部（下に凸の部分）の部分と容器本体の肩部に設けられた波形段部を構成する山部とが突き合わないように位置をずらすという位置補正の機能を有している。
そして、このガイド突起の位置補正機能と案内作用とが発揮され、キャップと容器本体とを簡単、確実に装着することができる。
【００２３】
本発明の第５の態様に係るキャップ付き容器は、第１から第４のいずれかの態様において、誘導片は、外筒側に凸状に湾曲しながら先端が口部側を向くように形成されていることを特徴とする。
【００２４】
本態様によれば、キャップを装着するときは、誘導片の先端が口部側を向くように形成されているので、ガイド突起に接触しやすく、かつ案内されやすくスムーズにキャップを容器本体に装着することができる。
一方、キャップを取り外すときは、誘導片は、外筒側に凸状に湾曲しておりガイド突起にあまり干渉しないので、スムーズにキャップを容器本体から取り外すことができる。
【００２５】
本発明の第６の態様に係るキャップ付き容器は、第１から第５のいずれかの態様において、誘導片は下方に向かう逆三角形形状が内筒の下端に所定の間隔を有して周設されたものであり、前記ガイド突起は前記誘導片の逆三角形形状の斜辺部と接触して前記誘導片を案内する傾斜部を有することを特徴とする。
【００２６】
本態様によれば、キャップを装着するときは、誘導片がガイド突起と接触し下方に案内され、斜め下方向に移動しながら内筒（キャップ）が回転するように容器本体側に接近していくので、簡単にキャップを容器本体に装着することが可能となる。
【００２７】
本発明の第７の態様に係るキャップ付き容器は、第１から第６のいずれかの態様において、口部には、径方向の外側に突出したネックリングが設けられ、前記ネックリングには径方向の外側に突出する前記ガイド突起が形成されていることを特徴とする。
本態様によれば、ガイド突起をネックリングと一体で成形でき、部品点数を減らすことができる。
【００２８】
本発明の第８の態様に係るキャップ付き容器は、第１から第７のいずれかの態様において、ガイド突起は、ネックリングの側部上に周方向に所定の間隔を有して複数形成されていることを特徴とする。
【００２９】
本態様によれば、ネックリングの側部上に周方向に所定の間隔を有して複数形成されていることから、複数の誘導片が複数のガイド突起と接触し案内される部分が増え、各誘導片がスムーズに下方に移動するので、内筒の内周面に設けられている係合部とガイド突起が簡単に係合して、素早く簡単に内筒（キャップ）が容器本体に装着できる。
【００３０】
本発明の第９の態様に係るキャップ付き容器は、第１から第８のいずれかの態様において、誘導片は可撓性を有していることを特徴とする、
【００３１】
本態様によれば、第１から第８の態様の効果に加え、誘導片が可撓性を有しているのでキャップを取り外すときは、誘導片がガイド突起に接触（干渉）したとしても摩擦力はそれほど大きくならないため、強い力をかけてキャップを取り外す必要がない。
【発明の効果】
【００３２】
本発明に係るキャップ付き容器は、キャップを容器に装着する際には簡単に装着させることができ、かつ内容物が飛び出す虞がないように、強い力をかけなくても容器からキャップを外すことができる効果を有している。
【図面の簡単な説明】
【００３３】
【図１】本発明に係るキャップ付き容器の第１の実施態様の一部を示す半断面図。
【図２】（ａ）は本発明に係るキャップ付き容器の第１の実施態様におけるネックリング部のＡ―Ａにおける断面図。（ｂ）は本発明に係るキャップ付き容器の第１の実施態様における主にネックリングの部分と波形段部を示した図。
【図３】（ａ）は、本発明に係るキャップ付き容器の第１の実施態様におけるキャップが容器本体に案内される際の誘導片とガイド突起の関係を示した図。（ｂ）は、本発明に係るキャップ付き容器の第１の実施態様におけるキャップが容器本体と装着した際の誘導片とガイド突起の関係を示した図。（ｃ）は、本発明に係るキャップ付き容器の第１の実施態様におけるキャップが容器本体から取り外される際の誘導片とガイド突起の関係を示した図。
【図４】（ａ）は、本発明に係るキャップ付き容器の第１の実施態様におけるキャップが容器本体に案内される際の誘導片、波形突片、ガイド突起及び波形段部のそれぞれの位置関係を示した図。（ｂ）は、本発明に係るキャップ付き容器の第１の実施態様におけるキャップが容器本体と装着した際の誘導片、波形突片、ガイド突起及び波形段部のそれぞれの位置関係を示した図。（ｃ）は、本発明に係るキャップ付き容器の第１の実施態様におけるキャップが容器本体から取り外される際の誘導片、波形突片、ガイド突起及び波形段部のそれぞれの位置関係を示した図。
【図５】（ａ）は、本発明に係るキャップ付き容器の第２の実施態様におけるキャップが容器本体に案内される際の誘導片、波形突片、ガイド突起及び波形段部のそれぞれの位置関係を示した図。（ｂ）は、本発明に係るキャップ付き容器の第２の実施態様におけるキャップが容器本体と装着した際の誘導片、波形突片、ガイド突起及び波形段部のそれぞれの位置関係を示した図。（ｃ）は、本発明に係るキャップ付き容器の第２の実施態様におけるキャップが容器本体から取り外される際の誘導片、波形突片、ガイド突起及び波形段部のそれぞれの位置関係を示した図。
【発明を実施するための形態】
【００３４】
以下、図１から図５を参照しながら本発明に係るキャップ付き容器の実施形態について説明するが、本発明は当該実施形態に限定されるものではない。また各図において、共通する構成部分には同一の符号を付して重複する説明は省略することとする。
【００３５】
図１に示すように、第１の実施態様のキャップ付き容器１は、胴部４の上に肩部３を介して立設された口部２を備えた有底（図示せず）筒状の容器本体５と、口部２と肩部３を覆うように容器本体５に装着されるキャップ７とを有している。
【００３６】
口部２には中栓９が組付けられさらに中栓９はヒンジ８１を介して蓋体８と連結している。蓋体８は、開閉可能とするためにヒンジ８１を支点として回動可能となっている。
口部２の上部には係止部２３が設けられており、当該係止部２３の部分が中栓９の被係止部９１を係止することにより、中栓９が口部２から抜けないような構造になっている。
さらに、口部２には、径方向の外側に突出したネックリング２１が設けられ、ネックリング２１の側部上には径方向の外側に突出するガイド突起２２が形成されている（図２参照）。
【００３７】
キャップ７は、天面７１と、天面７１の周縁に肩部３方向に向かって周設された側壁７２とを有する外筒７３と、天面７１の内面から口部２方向に向かって筒状に設けられた内筒６とを有して構成されている。
すなわち、本態様のキャップ７は外筒７３と内筒６とを有する２重構造となっている。本態様では外筒７３と内筒６とは一体に形成されている。
【００３８】
外筒の側壁７２の下端部には、後述する波形段部３１と係合する周方向に連続する山部７４１と谷部７４２とを有する波形突片７４が形成されている。
内筒６の内周面には径方向の内側に突出して、上述したネックリング２１に形成されたガイド突起２２と係合する係合部６２が設けられ、当該係合部６２の下方にはガイド突起２２に接触する誘導片６１が連接されている。
本態様においては、誘導片６１は、下方に向かう逆三角形形状（図３参照）が内筒６の下端に等間隔で８個周設されている。
【００３９】
なお、本態様の波形突片７４の谷部７４２（下に凸部）は、周方向において内筒６の下端に周設されている誘導片６１の逆三角形状の位置とほぼ同じ位置に形成されているが、波形突片７４と誘導片６１は同じ位置でなくてもよい。
また、誘導片６１は可撓性を有する素材が好ましく、例えばポリエチレンテレフタレート、ポリエチレン、ポリプロピレン等の合成樹脂が挙げられる。さらに、これらを薄く加工したものでもよい。
【００４０】
容器本体５の肩部３には、周方向に連続する山部３１１と谷部３１２とを有して構成される波形段部３１が形成され、キャップ７の外筒の側壁７２の下端部に形成された波形突片７４と嵌合する構成になっている。
【００４１】
図２に示すように、ネックリング２１は、口部２の径方向の外側に突出して設けられており、ネックリング２１の側部上には周方向に所定の間隔を有してガイド突起２２が複数形成されている。ここで、ネックリング２１は口部２に一体に形成されていても良いし、別体として形成されていても良い。
なお、図２では、ネックリング２１とガイド突起２２の関係をわかりやすくするため、蓋体８や中栓９は記載していない。
【００４２】
本態様におけるガイド突起２２は、ネックリング２１の側部上に等間隔で８個設けられており、ネックリング２１と一体形成されている。また、ガイド突起２２の形状は本態様では５角形の形状を有している（図３参照）。
そして、ネックリング２１に設けられているガイド突起２２の位置は、周方向において容器本体５の肩部３に形成された波形段部３１を構成する山部３１１の位置と同じ位置に構成されているが、必ずしも同じ位置でなくてもよい。
なお、本態様ではネックリング２１にガイド突起２２が形成されているが、ガイド突起は、例えば、口部２リップ外周に形成されていてもよいし、その他の位置に形成されていてもよい。
【００４３】
次に、図３を参照（適宜図１、図２を参照）しながら、本発明の作用効果について説明する。
なお、図３においては、本態様の作用効果がわかりやすいように、主に作用効果に関わりのある部分の構成のみを記載している。
図３（ａ）は、キャップ７を容器本体５に装着する最初の段階である。
キャップ７の内筒６の部分を口部２に合わせて軽く押し込むと、キャップ７の内筒６の先端部に設けられた誘導片６１が、ネックリング２１の側部上に設けられたガイド突起２２に接触する。この際、逆三角形状をした誘導片６１の先端は、口部２側を向くように、すなわち内側を向くように形成されているのでガイド突起２２に接触し易くなっている。
【００４４】
誘導片６１がガイド突起２２に接触すると、逆三角形状をした誘導片６１の一つの斜辺部６１１と５角形状をしたガイド突起２２の一つの斜辺（以下、「傾斜部」という）２２１とが接触し、誘導片６１は傾斜部２２１の案内効果により案内されながら斜め下方（図３（ａ）の矢印方向）に移動していく。つまり、すべての誘導片６１が、対応している傾斜部２２１に接触し、その案内効果により案内されながら斜め下方に移動していくので、内筒６が回転しながら移動することになる。
【００４５】
本態様では、キャップ７は２重構造で外筒７３と内筒６が一体に形成されているので、内筒６に形成されている誘導片６１が移動するということは、内筒６も移動し外筒７３も移動することになるので、最終的にはキャップ７が回転しながら移動することになる。なお、図３（ａ）の状態ではまだ係合部６２はガイド突起２２を下方に乗り越えた状態にはない。
【００４６】
ここで、上述したように、本態様では外筒の側壁７２の下端部に設けられた波形突片７４の谷部７４２（下に凸部）は、周方向において内筒６の下端に周設されている誘導片６１の逆三角形状の位置とほぼ同じ位置に形成されているので（図１参照）、波形突片７４の谷部７４２（下に凸部）も、キャップ７の移動とともに移動する。
一方、ネックリング２１に設けられているガイド突起２２の位置は、周方向において容器本体５の肩部３に形成された波形段部３１を構成する山部３１１の位置とほぼ同じ位置にある（図２参照）。
【００４７】
したがって、キャップ７の内筒６の部分を口部２に係合させて軽く押し込む前に、波形段部３１を構成する山部３１１と外筒の側壁７２の下端部に設けられた波形突片７４の谷部７４２（下に凸部）が対向していても、軽く押し込んだ瞬間にガイド突起２２の案内効果によりキャップ７は回転しながら移動するため、波形突片７４の谷部７４２（下に凸部）も移動し、波形段部３１を構成する山部３１１と突き合わない位置に移動する。
つまり、ガイド突起２２は案内効果により、波形突片７４の谷部７４２（下に凸部）と波形段部３１を構成する山部３１１とが突き合わないように、キャップ７の位置を補正する位置補正の機能も有している。
【００４８】
ここで、ガイド突起２２の形状は、誘導片６１を案内できる部分、すなわち傾斜している傾斜部を有していればよく、本態様のように５角形形状に限定されるものではなく、三角形状、四角形状（ひし形形状）や上に突状の湾曲形状であっても良い。
【００４９】
このように、キャップ７の位置を補正する機能を有することから、波形突片７４の谷部７４２（下に凸部）と波形段部３１を構成する山部３１１とが突き合うことがなく、簡単にキャップ７を容器本体５に装着することができる。
そして、すでに、キャップ７は移動していることから、容器本体５にキャップ７を装着させるのに、キャップ７を深く移動させる必要がないため（少し移動させれば装着できるため）、波形段部３１の山部３１１と谷部３１２との高さ方向の距離を大きく（急傾斜）する必要がない。すなわち、山部３１１と谷部３１２との高さ方向の距離を小さく（緩やかな傾斜）することができる。これは、波形段部３１と嵌合する波形突片７４の山部７４１と谷部７４２にも同様のことが言える。
これにより、キャップ開栓時におけるキャップをせり上げる為の必要な力を軽くでき、容器本体からキャップを取り外す力を軽くすることができる。キャップを取り外した反動による内容物の飛び跳ねの虞をなくすことができる。
【００５０】
図３（ｂ）は、キャップ７が容器本体５と装着した際の誘導片６１とガイド突起２２の関係を示した図である。
図３（ａ）の状態からさらにキャップ７を押し込むと、誘導片６１がさらにガイド突起２２に案内され（図３（ｂ）の矢印方向）、内筒６の内周面に設けられた係合部６２が、ガイド突起２２を下方に乗り越えてガイド突起２２に係止される。ここで、容器本体５へのキャップ７の装着が完成する。この時、容器本体５の肩部３に形成された、周方向に連続する山部３１１と谷部３１２とを有して構成される波形段部３１（図１参照）と、キャップ７の外筒の側壁７２の下端部に形成された波形突片７４（図１参照）とが嵌合する。
【００５１】
図３（ｃ）は、キャップが容器本体から取り外される際の誘導片６１とガイド突起２２の関係を示した図である。
容器本体５からキャップ７を取り外すときは、外筒７３を握って回転させることで、内筒６の係合部６２がガイド突起２２を上方に乗り越えることにより、キャップ７は容器本体５との装着が解かれるが、本態様では、この際誘導片６１が外筒７３側に凸状に湾曲しているため、係合部６２がガイド突起２２を上方に乗り越えた後に、誘導片６１がガイド突起２２に干渉することがほとんどなく、また、干渉したとしても可撓性を有しているのでそれほど摩擦力が生じることもなく、スムーズにキャップ７を容器本体５から取り外すことができる。
【００５２】
本態様では、前述したように、波形段部３１の山部３１１と谷部３１２との高さ方向の距離を小さくすることができる構成なので、つまり、山部３１１と谷部３１２との高さを小さく（緩やかな傾斜）することができる構造なので、キャップ７を容器本体５から取り外す際には、外筒７３を強く回して取り外す必要がない。小さな力で少し回転させるだけで、波形段部３１（図１参照）と波形突片７４（図１参照）との嵌合が、波形突片７４が緩やかな傾斜をせり上がることにより解除される。そして、その際に係合部６２がガイド突起２２を上方に乗り越え、キャップ７の容器本体５に対する装着が解かれる。
【００５３】
また、本態様では、キャップ７と容器本体５が実際に装着しているのは、内筒６に設けられた係合部６２とガイド突起２２の係合によるところが大きいので、本態様のように、キャップ７が外筒７３と内筒６との２重構造を有している場合には、外筒７３に係る力が内筒６に影響を与えることが少なく、従来のようにキャップを強く握るほど外れにくくなる態様ではない。そのため、本態様ではキャップを強く握っても外れにくくなることが無い為キャップ７を取り外し易くすることができるので、キャップ７を取り外す際の力の反動で容器本体５の内容物が飛びだすこともない。
【００５４】
第１の実施態様では、ガイド突起２２は案内効果により、波形突片７４の谷部７４２（下に凸部）と波形段部３１を構成する山部３１１とが突き合わないように、キャップ７の位置を補正する位置補正の機能を有しているが、当該機能が発揮されるためには、当然に波形突片７４の谷部７４２（下に凸部）と波形段部３１を構成する山部３１１とが突き合うより前に、内筒６に設けられた誘導片６１とガイド突起２２とが接触する必要がある。
【００５５】
そこで、図４を参照にして、第１の実施態様において、波形突片７４の谷部７４２（下に凸部）と波形段部３１を構成する山部３１１とが突き合うより前に、内筒６に設けられた誘導片６１とネックリング２１に設けられたガイド突起２２とが接触するための要件（以下「接触要件」という）について説明する。
【００５６】
図４において、（ａ）は、キャップ７が容器本体５に案内される際の誘導片６１、波形突片７４、ガイド突起２２及び波形段部３１のそれぞれの位置関係を示した図、（ｂ）は、キャップ７が容器本体５と装着した際の誘導片６１、波形突片７４、ガイド突起２２及び波形段部３１のそれぞれの位置関係を示した図、（ｃ）は、キャップ７が容器本体５から取り外される際の誘導片６１、波形突片７４、ガイド突起２２及び波形段部３１のそれぞれの位置関係を示した図である。
ここで、図４（ａ）を中心に接触要件について説明する。既に説明した構成部分には同一の符号を付して重複する説明は省略することとする。
【００５７】
図４（ａ）において、波形段部３１を構成する山部３１１の上端とガイド突起２２の５角形形状の上端の頂点との距離をｈ、波形突片７４の谷部７４２の下端と内筒６に設けられた誘導片６１の逆三角形形状の下端の頂点の距離をｈ´とすると、接触要件としてｈ＞ｈ´が必要である。当該要件を満たせば、（ａ）のように、誘導片６１とガイド突起２２とが先に接触して、波形突片７４の谷部７４２（下に凸部）と波形段部３１を構成する山部３１１とが突き合わずに、ガイド突起２２の案内作用と位置補正機能によって、（ｂ）のように、波形突片７４と波形段部３１とが嵌合してキャップ７と容器本体５が装着される。
【００５８】
ここで、波形突片７４と波形段部３１とがずれないで正確に嵌合するには、以下の要件が必要である。
平面視において、キャップ７の中心（図１の中心線О上にある）から誘導片６１及び波形突片７４の谷部７４２を通る直線とキャップ７の中心から波形突片７４の前記谷部７４２の隣にある山部７４１を通る直線とのなす角度と、平面視において、キャップ７の中心Оからガイド突起２２及び波形段部３１の山部３１１を通る直線とキャップ７の中心から波形段部３１の前記山部３１１の隣にある谷部３１２を通る直線とのなす角度が同一であることが必要である。
双方の角度が同一であれば、波形突片７４と波形段部３１の形状が嵌り合うように同一になるからである。
【００５９】
図５には、本発明に係るキャップ付き容器の第２の実施態様が記載されており、（ａ）はキャップ７が容器本体５に案内される際の誘導片６１、波形突片７４、ガイド突起２２及び波形段部３１のそれぞれの位置関係を示した図、（ｂ）は、キャップ７が容器本体５と装着した際の誘導片６１、波形突片７４、ガイド突起２２及び波形段部３１のそれぞれの位置関係を示した図、（ｃ）は、キャップ７が容器本体５から取り外される際の誘導片６１、波形突片７４、ガイド突起２２及び波形段部３１のそれぞれの位置関係を示した図である。
ここで、第１の実施態様と同様、図５（ａ）を中心に接触要件について説明する。なお、図４にて、既に説明した構成部分には同一の符号を付して、異なる部分について説明する。
【００６０】
第１の実施態様と比較すると、キャップ７においては第１の実施態様では、外筒７３に設けられた波形突片７４の谷部７４２と内筒６に設けられた誘導片６１は周方向において同じ位置にあるが、第２の実施態様では誘導片６１は波形突片７４の谷部７４２から山部の７４１の方向にαずれている（図５（ｂ）参照）。
また、容器本体５においては、口部２に設けられたネックリング２１に形成されたガイド突起２２が、第１の態様と異なり、波形段部３１の谷部３１２と周方向においてほぼ同じ位置となるように設けられている。
本発明において、同じ位置とは正確に完全一致するものをいうのではなく、多少の差も含むものとする。
【００６１】
第２の実施態様であっても、接触要件は第１の実施態様と同様に、波形段部３１を構成する山部３１１の上端とガイド突起２２の５角形形状の上端の頂点との距離をｈ、波形突片７４の谷部７４２の下端と内筒６に設けられた誘導片６１の逆三角形形状の下端の頂点の距離をｈ´とすると、接触要件としてｈ＞ｈ´が必要である。
【００６２】
また、波形突片７４と波形段部３１とがずれないで正確に嵌合するには、以下の要件が必要である。
平面視において、キャップ７の中心（図１の中心線О上にある）から誘導片６１を通る直線とキャップ７の中心から波形突片７４の谷部７４２を通る直線とのなす角度と、平面視において、キャップ７の中心からガイド突起２２を通る直線とキャップ7の中心から波形段部３１の山部３１１を通る直線とのなす角度（周方向における周長αに相当）が同一であり、かつ、誘導片６１を通る直線とキャップ７の中心から波形突片７４の前記谷部７４２の隣にある山部７４１を通る直線とのなす角度と、平面視において、キャップ７の中心からガイド突起２２を通る直線とキャップ７の中心から前記波形段部３１の前記山部３１１の隣にある谷部３１２を通る直線とのなす角度が同一であることが必要である。
第１の実施態様と同様、それぞれの角度が同一であれば、波形突片７４と波形段部３１の形状が嵌り合うように同一になるからである。
【００６３】
以上、本発明の実施態様について説明したが、本発明は当該実施態様に限定されるものでなく、本発明の要旨を逸脱しない範囲の各構成要素の設計変更等があっても、それらは本発明の技術的範囲に含まれる。
【産業上の利用可能性】
【００６４】
本発明に係るキャップ付き容器は、キャップを容器に装着する際には簡単に装着ができ、かつ内容物が飛び出す虞がないように、強い力をかけなくても容器からキャップを外すことができるような効果を有している。そのため、新たなキャップ付き容器の分野に用途展開が可能である。
【符号の説明】
【００６５】
１    ：キャップ付き容器
２    ：口部
３    ：肩部
４    ：胴部
５    ：容器本体
６    ：内筒
７    ：キャップ
８    ：蓋体
９    ：中栓
２１  ：ネックリング
２２  ：ガイド突起
２３  ：係止部
３１  ：波形段部
６１  ：誘導片
６２  ：係合部
７１  ：天面
７２  ：側壁
７３  ：外筒
７４  ：波形突片
９１  ：被係止部
２２１：傾斜部
３１１：波形段部の山部
３１２：波形段部の谷部
７４１：波形突片の山部
７４２：波形突片の谷部
О    ：中心線
【図１】
2019194093.tif 000003
【図２】
2019194093.tif 000004
【図３】
2019194093.tif 000005
【図４】
2019194093.tif 000006
【図５】
2019194093.tif 000007